(57)【要約】【課題】故紙を容易に結束し得るようにした家具を提供する。【解決手段】故紙収納用の引出し（１）の底板（３）には左右方向に第一水平溝（５）を形成し、引出しの左右側板（７ａ）（７ｂ）内面には第一水平溝に連続する第一垂直溝（９ａ）（９ｂ）を形成し、各側板上縁には第一垂直溝に連続する第二水平溝（１１ａ）（１１ｂ）を手前方向に形成し、第一水平溝と第一垂直溝と第二水平溝とに第一結束紐（１２）を挿通し、引出しの底板には前後方向に第三水平溝（１３）を形成し、引出しの正面板（１５）と背面板（１７）の内面には第三水平溝に連続する第二垂直溝（１９ａ）（１９ｂ）を形成し、正面板と背面板の上縁には第二垂直溝に連続する第四水平溝（２１ａ）（２１ｂ）を形成し、第三水平溝と第二垂直溝と第四水平溝とに第二結束紐（２３）を挿通し、引出しの上方には引出し内の故紙を押圧する手段を備えさせる。【選択図】図１
2005022862.tif 000002
【特許請求の範囲】
【請求項１】
故紙収納用の引出し（１）を備え、該引出しの底板（３）における上面略中央部には該引出しの左右方向に第一水平溝（５）を形成し、該引出しの左右各側板（７ａ）（７ｂ）における内面には底板の第一水平溝（５）に連続する第一垂直溝（９ａ）（９ｂ）をそれぞれ形成し、当該各側板の上縁（７ａ‘）（７ｂ’）には各第一垂直溝に連続する第二水平溝（１１ａ）（１１ｂ）をそれぞれ手前方向に形成し、これらの第一水平溝（５）と第一垂直溝（９ａ）（９ｂ）と第二水平溝（１１ａ）（１１ｂ）とに第一結束紐（１２）を挿通し、
引出し（１）の底板（３）における上面略中央部には該引出しの前後方向に第三水平溝（１３）を形成し、該引出しの正面板（１５）と背面板（１７）との内面には底板の第三水平溝（１３）に連続する第二垂直溝（１９ａ）（１９ｂ）をそれぞれ形成し、正面板（１５）と背面板（１７）との上縁（１５ａ）（１７ａ）には各第二垂直溝（１９ａ）（１９ｂ）に連続する第四水平溝（２１ａ）（２１ｂ）をそれぞれ形成し、これらの第三水平溝（１３）と第二垂直溝（１９ａ）（１９ｂ）と第四水平溝（２１ａ）（２１ｂ）とに第二結束紐（２３）を挿通し、
引出し（１）の上方には該引出し内の故紙を押圧する故紙押圧手段を備えさせたことを特徴とする家具。
【請求項２】
前記故紙押圧手段は、引出し（１）の上方に配設された水平板（３１）の下面における前縁（３１ａ）付近には押圧体（３３）の一縁（３３ａ）を該押圧体が上下方向に回動自在になるように取り付け、該押圧体は該押圧体の他縁（３３ｂ）を前方に突出させると共に該押圧体の回動中心線（３４）を引出しの前後方向に対し傾斜させることにより該押圧体（３３）が下方に回動したときに該押圧体の他縁（３３ｂ）が水平板（３１）の前縁（３１ａ）よりも手前側にて故紙を押圧するようになし、該押圧体（３３）の近傍には該押圧体が上方に回動したときに該押圧体に係止することにより該押圧体を上方に回動した位置に保持する押圧体保持手段（３５）を該押圧体に対し係脱自在に配設し、該押圧体保持手段による押圧体の係止を解除したときに該押圧体が下方に回動するようにしてなるものであることを特徴とする請求項１記載の家具。
【請求項３】
前記故紙押圧手段は、引出し（１）の上方に配設された水平板（３１）の下面における前縁（３１ａ）付近には押圧体（３７）の一縁（３７ａ）を該押圧体が上下方向に回動自在になるように取り付け、該押圧体の近傍には、該押圧体が上方に回動したときに該押圧体を押圧することにより該押圧体を上方に回動した位置に保持する押圧体押圧ばね（５５）を配設し、該押圧体押圧ばねによる押圧体の押圧を解除したときに該押圧体が下方に回動するようにしてなるものであることを特徴とする請求項１記載の家具。
【請求項４】
前記引出し（１）の底板（３）には透孔（４１）を形成したことを特徴とする請求項１〜３のいずれかに記載の家具。
【発明の詳細な説明】
【技術分野】
【０００１】
本発明は、家具に関するものであり、特に新聞紙等の故紙を容易に結束し得るようにした故紙結束手段を備えた家具に係るものである。
【背景技術】
【０００２】
実開平７−３０２０１号公報は故紙の回収用収納箱を開示している。この回収用収納箱は、上端に故紙の投入口を備えた箱体の下部に故紙の結束用紐、切断用鋏等を収納する引出しを設け、該箱体の側板下部に故紙の取り出し口を開口し、該取り出し口と前記投入口とにそれぞれ蓋を開閉自在に取り付けてなるものである。
【０００３】
上記従来の故紙の回収用収納箱においては、新聞紙等の故紙を投入口より箱体内に投入し、該箱体内に故紙が溜まったときには取り出し口より該故紙を取り出し、引出しから取り出した故紙の結束用紐、切断用鋏等を用いて該故紙を結束するようにしている。
【特許文献１】実開平７−３０２０１号公報（請求項１）。
【発明の開示】
【発明が解決しようとする課題】
【０００４】
しかるに、上記従来の故紙の回収用収納箱は、単に故紙を収納するスペースと故紙の結束用紐、切断用鋏等を収納する引出しを設けているに過ぎないものであり、故紙の結束作業自体を何等容易にするものではない。
【０００５】
本発明は、単に新聞紙等の故紙を収納するだけでなく、新聞紙等の故紙を容易に結束し得るようにした故紙結束手段を備えた家具を提供しようとしてなされたものである。
【課題を解決するための手段】
【０００６】
上記課題を解決するために、本発明は下記の家具を提供する。
【０００７】
１．故紙収納用の引出し（１）を備え、該引出しの底板（３）における上面略中央部には該引出しの左右方向に第一水平溝（５）を形成し、該引出しの左右各側板（７ａ）（７ｂ）における内面には底板の第一水平溝（５）に連続する第一垂直溝（９ａ）（９ｂ）をそれぞれ形成し、当該各側板の上縁（７ａ‘）（７ｂ’）には各第一垂直溝に連続する第二水平溝（１１ａ）（１１ｂ）をそれぞれ手前方向に形成し、これらの第一水平溝（５）と第一垂直溝（９ａ）（９ｂ）と第二水平溝（１１ａ）（１１ｂ）とに第一結束紐（１２）を挿通し、
引出し（１）の底板（３）における上面略中央部には該引出しの前後方向に第三水平溝（１３）を形成し、該引出しの正面板（１５）と背面板（１７）との内面には底板の第三水平溝（１３）に連続する第二垂直溝（１９ａ）（１９ｂ）をそれぞれ形成し、正面板（１５）と背面板（１７）との上縁（１５ａ）（１７ａ）には各第二垂直溝（１９ａ）（１９ｂ）に連続する第四水平溝（２１ａ）（２１ｂ）をそれぞれ形成し、これらの第三水平溝（１３）と第二垂直溝（１９ａ）（１９ｂ）と第四水平溝（２１ａ）（２１ｂ）とに第二結束紐（２３）を挿通し、
引出し（１）の上方には該引出し内の故紙を押圧する故紙押圧手段を備えさせたことを特徴とする家具（請求項１）。
【０００８】
２．前記故紙押圧手段は、引出し（１）の上方に配設された水平板（３１）の下面における前縁（３１ａ）付近には押圧体（３３）の一縁（３３ａ）を該押圧体が上下方向に回動自在になるように取り付け、該押圧体は該押圧体の他縁（３３ｂ）を前方に突出させると共に該押圧体の回動中心線（３４）を引出しの前後方向に対し傾斜させることにより該押圧体（３３）が下方に回動したときに該押圧体の他縁（３３ｂ）が水平板（３１）の前縁（３１ａ）よりも手前側にて故紙を押圧するようになし、該押圧体（３３）の近傍には該押圧体が上方に回動したときに該押圧体に係止することにより該押圧体を上方に回動した位置に保持する押圧体保持手段（３５）を該押圧体に対し係脱自在に配設し、該押圧体保持手段による押圧体の係止を解除したときに該押圧体が下方に回動するようにしてなるものである（請求項２）。
【０００９】
３．前記故紙押圧手段は、引出し（１）の上方に配設された水平板（３１）の下面における前縁（３１ａ）付近には押圧体（３７）の一縁（３７ａ）を該押圧体が上下方向に回動自在になるように取り付け、該押圧体の近傍には、該押圧体が上方に回動したときに該押圧体を押圧することにより該押圧体を上方に回動した位置に保持する押圧体押圧ばね（５５）を配設し、該押圧体押圧ばねによる押圧体の押圧を解除したときに該押圧体が下方に回動するようにしてなるものである（請求項３）。
【００１０】
４．前記引出し（１）の底板（３）には透孔（４１）を形成する（請求項４）。
【００１１】
特許請求の範囲を含む本明細書において、「手前」ないし「前」とは故紙収納用の引出しにおける使用者に向かう方向、即ち図３における下方向をいい、［後］とは［前］の反対方向、即ち図３における上方向をいい、「前後」とは故紙収納用の引出しが移動する方向、即ち図３における上下方向をいい、「左右」とは前後と直角の水平方向、即ち図３における左右方向をいうものとする。
【００１２】
［作用］
［請求項１の発明］
第一結束紐（１２）と第二結束紐（２３）は、第一結束紐（１２）における第一水平溝（５）内の部分と第二結束紐（２３）における第三水平溝（１３）内の部分とが故紙の底面下で十文字状に直交するように引出し（１）に予め配設されている。
【００１３】
請求項１の家具を使用する際には、日々発生する新聞紙等の故紙を故紙収納用の引出し内に収納する。該引出し内の故紙が所定の高さまで溜まったときには、該引出しを半分程度引き出して故紙を手で押下し、この状態で該引出しの上方に配設されている故紙押圧手段により故紙を押下させる。
【００１４】
続いて、第一結束紐（１２）により故紙を左右方向に結束し、第一結束紐（１２）の結び目を故紙押圧手段の直下に入れ、該故紙押圧手段により押下させる。更に、第二結束紐（２３）により故紙を前後方向に結束する。
【００１５】
以上により故紙は十文字状に結束される。しかる後に、結束された該故紙を引出しから取り出し、新しい第一結束紐（１２）と新しい第二結束紐（２３）とを引出し（１）に配設する。図８は第一結束紐（１２）と第二結束紐（２３）とにより十文字状に結束された故紙を示す。
【００１６】
［請求項２の発明］
故紙押圧手段における押圧体は、該押圧体の近傍に配設された押圧体保持手段により、上方に回動した位置に常時保持されている。故紙押圧手段により故紙ないし第一結束紐を押圧させる際には、押圧体保持手段による押圧体の係止を解除し、押圧体を自重により下方に回動させればよい。この場合、下方に回動した押圧体が所定の垂直状態になるように手で調節する。
【００１７】
押圧体が下方に回動したときに該押圧体の他縁（３３ｂ）が水平板（３１）の前縁（３１ａ）よりも手前側にて故紙を押圧するようになすことにより、第一結束紐（１２）を水平板（３１）の前縁（３１ａ）よりも手前側に位置させた状態で結束することができるため、その結束作業は容易なものとなる。
【００１８】
［請求項３の発明］
故紙押圧手段における押圧体は、該押圧体の近傍に配設された押圧体押圧ばねにより、上方に回動した位置に常時保持されている。故紙押圧手段により故紙ないし第一結束紐を押圧させる際には、押圧体押圧ばねによる押圧体の押圧を解除し、押圧体を自重により下方に回動させればよい。この場合、下方に回動した押圧体が所定の垂直状態になるように手で調節する。
【００１９】
［請求項４の発明］
結束した故紙を引出しから取り出す際に、引出しを家具から抜き取って引出しを上下反転させ、引出しの底板に形成された透孔より指を挿入して故紙を押すことにより、故紙を引き出しから容易に取り出すことができる。
【発明の効果】
【００２０】
［請求項１の発明］
第一結束紐（１２）と第二結束紐（２３）は、第一結束紐（１２）における第一水平溝（５）内の部分と第二結束紐（２３）における第三水平溝（１３）内の部分とが故紙の底面下で十文字状に直交するように引出し（１）に予め配設されているため、故紙を引出し内で十文字状に極めて容易に結束することができる。即ち、使用者は、故紙を各結束紐により結束する際に故紙を該結束紐上に乗せ又は該結束紐を故紙の下方を通過させる必要がなく、更に故紙押圧手段により故紙を押圧させて該故紙の動きを防止した状態で結束することができるのである。
【００２１】
［請求項２の発明］
故紙押圧手段における押圧体は、押圧体保持手段による該押圧体の係止を解除したときには自重により下方に回動する。また、該押圧体を上方に回動させたときには該押圧体は押圧体保持手段により上方に回動させた位置に保持される。
【００２２】
押圧体が下方に回動したときに該押圧体の他縁（３３ｂ）が水平板（３１）の前縁（３１ａ）よりも手前側にて故紙を押圧するようになすことにより、第一結束紐（１２）を水平板（３１）の前縁（３１ａ）よりも手前側に位置させた状態で結束することができるため、その結束作業は容易なものとなる。
【００２３】
［請求項３の発明］
故紙押圧手段における押圧体は、押圧体押圧ばねによる該押圧体の押圧を解除したときには自重により下方に回動する。また、該押圧体を上方に回動させたときには該押圧体は押圧体押圧ばねにより上方に回動した位置に保持される。
【００２４】
［請求項４の発明］
結束した故紙を引出しから取り出す際に、引出しを家具から抜き取って引出しを上下反転させ、引出しの底板に形成された透孔より指を挿入して故紙を押すことにより、故紙を引き出しから容易に取り出すことができる。
【発明を実施するための最良の形態】
【００２５】
本発明による家具は、故紙収納用の引出し１を備えている。図１に示す家具は、故紙収納用の引出し１の他に、束ねた故紙等を収納する収納スペース２を備えている。
【００２６】
引出し１の底板３における上面略中央部には該引出し１の左右方向に第一水平溝５を形成し、該引出し１の左右各側板７ａ、７ｂにおける内面には底板３の第一水平溝５に連続する第一垂直溝９ａ、９ｂをそれぞれ形成し、当該各側板７ａ、７ｂの上縁７ａ‘、７ｂ’には各第一垂直溝９ａ、９ｂに連続する第二水平溝１１ａ、１１ｂをそれぞれ手前方向に形成し、これらの第一水平溝５と第一垂直溝９ａ、９ｂと第二水平溝１１ａ、１１ｂとに第一結束紐１２を挿通する。第一結束紐１２は、好ましくは紙紐とする。図２、図３参照。
【００２７】
引出し１の底板３における上面略中央部には該引出し１の前後方向に第三水平溝１３を形成し、該引出し１の正面板１５と背面板１７との内面には底板３の第三水平溝１３に連続する第二垂直溝１９ａ、１９ｂをそれぞれ形成し、正面板１５と背面板１７との上縁１５ａ、１７ａには各第二垂直溝１９ａ、１９ｂに連続する第四水平溝２１ａ、２１ｂをそれぞれ形成し、これらの第三水平溝１３と第二垂直溝１９ａ、１９ｂと第四水平溝２１ａ、２１ｂとに第二結束紐２３を挿通する。第二結束紐２３も、好ましくは紙紐とする。図２、図３参照。なお、第四水平溝２１ｂは、図２、図３に示すように、背面板１７の上縁１７ａから更に一方の側板７ｂの上縁７ｂ’まで延長させてなるものをも含むものとする。また、第四水平溝２１ｂを形成する背面板１７の上縁１７ａないし一方の側板７ｂの上縁７ｂ’を該上縁１７ａの残部ないし上縁７ｂ’の残部よりも低く形成することにより、引出し１を半分程度引き出したときに第二結束紐２３を手で容易に引き出し得るようにすることが望ましい。
【００２８】
引出し１の上方には該引出し１内の故紙２５を押圧する故紙押圧手段２７を備えさせる。
【００２９】
図４、図５、図１に示す故紙押圧手段２７について説明する。なお、図４は故紙押圧手段２７を下方から見た底面図である。
【００３０】
この故紙押圧手段２７においては、引出し１の上方に配設された水平板３１の下面における前縁３１ａ付近には押圧体３３の一縁３３ａを該押圧体３３が上下方向に回動自在になるように一例としてヒンジ３６を介して取り付ける。
【００３１】
押圧体３３は該押圧体３３の他縁３３ｂを前方に突出させると共に該押圧体３３の回動中心線３４を引出し１の前後方向に対し一例として２８度の角度で傾斜させることにより該押圧体３３が下方に回動したときに該押圧体３３の他縁３３ｂが水平板３１の前縁３１ａよりも手前側にて故紙２５を押圧するようになす。
【００３２】
押圧体３３の近傍には該押圧体３３が上方に回動したときに該押圧体３３に係止することにより該押圧体３３を上方に回動した位置に保持する押圧体保持手段３５を該押圧体３３に対し係脱自在に配設し、該押圧体保持手段３５による押圧体３３の係止を解除したときに該押圧体３３が下方に回動するようになす。
【００３３】
図４に示す押圧体保持手段３５は、押圧体３３の近傍には軸４３を進退自在に配設し、該軸４３の一端４３ａを水平板３１の前縁３１ａより前方に突出させると共に該軸４３を後方に押したときに該軸４３を前方に戻す戻しばね４５を設け、該軸４３には押圧体３３に係止する係止体４７を取り付け、該軸４３を進退させることにより係止体４７が押圧体３３に係脱するようにしてなるものである。
【００３４】
この事例においては、押圧体３３が上方に回動したときには係止体４７が該押圧体３３の下面に係止することにより該押圧体３３を上方に回動した位置に保持する。この状態において、軸４３を戻しばね４５の力に抗して後方に押したときには係止体４７が押圧体３３から離れ、該押圧体３３が自重により下方に回動する。軸４３は戻しばね４５により元の位置に戻る。下方に回動した押圧体３３を上方に回動させる際には、軸４３を戻しばね４５の力に抗して後方に押した状態で押圧体３３を係止体４７の上方まで回動させ、軸４３を戻しばね４５により元の位置に戻させるのである。しかるときは、係止体４７が該押圧体３３の下面に係止することにより該押圧体３３を上方に回動した位置に保持する。
【００３５】
図４における符号４９に示すものは、軸４３を後方に押したときに係止体４７が押圧体３３から離れやすくするために、押圧体３３に形成した切り欠きである。
【００３６】
次に、図６、図７に示す故紙押圧手段５１について説明する。
この故紙押圧手段５１は、引出し１の上方に配設された水平板３１の下面における前縁３１ａ付近には押圧体３７の一縁３７ａを該押圧体３７が上下方向に回動自在になるように一例としてヒンジ５３を介して取り付け、該押圧体３７の近傍には、該押圧体３７が上方に回動したときに該押圧体３７を押圧することにより該押圧体３７を上方に回動した位置に保持する押圧体押圧ばね５５を配設し、該押圧体押圧ばね５５による押圧体３７の押圧を解除したときに該押圧体３７が下方に回動するようにしてなるものである。
【００３７】
押圧体押圧ばね５５は一例として板ばねを略Ｕ字状に形成してなるものとする。図示の事例においては、押圧体押圧ばね５５による押圧体３７の押圧は、押し棒５７により押圧体押圧ばね５５を押すことにより解除される。
【００３８】
引出し１の底板３には透孔４１を形成する。図１、図３参照。
【図面の簡単な説明】
【００３９】
【図１】本発明による家具の一例を示す断面図である。
【図２】引出しの一例を示す斜視図である。
【図３】同上引出しの平面図である。
【図４】故紙押圧手段の一例を示す底面図である。
【図５】同上故紙押圧手段を示す断面図である。
【図６】故紙押圧手段の別の一例を示す断面図である。
【図７】同上故紙押圧手段を示す別の断面図である。
【図８】結束された故紙を示す斜視図である。
【符号の説明】
【００４０】
１    引出し
２    収納スペース
３    底板
５    第一水平溝
７ａ  側板
７ａ‘  上縁
７ｂ  側板
７ｂ‘  上縁
９ａ  第一垂直溝
９ｂ  第一垂直溝
１１ａ  第二水平溝
１１ｂ  第二水平溝
１２    第一結束紐
１３    第三水平溝
１５  正面板
１５ａ  上縁
１７  背面板
１７ａ  上縁
１９ａ  第二垂直溝
１９ｂ  第二垂直溝
２１ａ  第四水平溝
２１ｂ  第四水平溝
２３    第二結束紐
２５    故紙
２７    故紙押圧手段
３１    水平板
３１ａ  前縁
３３    押圧体
３３ａ  一縁
３３ｂ  他縁
３４    回動中心線
３６    ヒンジ
３５    押圧体保持手段
３７    押圧体
３７ａ  一縁
４１    透孔
４３    軸
４３ａ  一端
４５    戻しばね
４７    係止体
４９    切り欠き
５１    故紙押圧手段
５３    ヒンジ
５５    押圧体押圧ばね
５７    押し棒
【図１】
2005022862.tif 000003
【図２】
2005022862.tif 000004
【図３】
2005022862.tif 000005
【図４】
2005022862.tif 000006
【図５】
2005022862.tif 000007
【図６】
2005022862.tif 000008
【図７】
2005022862.tif 000009
【図８】
2005022862.tif 000010